(57)【要約】    【課題】転送又は転送の予約がされていない画像に対しての操作を禁止するのを防止することができると共に、ユーザが、禁止された操作を行ったことを認識することができる画像処理装置及び方法、並びにプログラムを提供する。    【解決手段】画像処理装置１００は、全体を制御するシステム制御回路５０を備える。また、画像処理装置１００は、その背面の中央に画像表示部２８を備え、画像表示部２８の下方に消去ボタン３０４とイージーダイレクトボタン３０５とを備える。ユーザが、消去ボタン３０４で再生画像の消去処理を行う際に、システム制御回路５０は、画像表示部２８に表示されている画像が、転送中又は転送予約画像でないときは、消去処理を実行し、転送中又は転送予約画像であるときは、「ｂｕｓｙ」表示を行う。【選択図】      図６
2007081753.tif 000002
【特許請求の範囲】
【請求項１】
画像データを外部機器に転送する転送手段と、
前記転送手段により転送する画像を指示する転送指示手段と、
画像データに対して操作を施す操作手段と、
前記転送手段による転送中に前記操作手段による操作を施すよう指示を受けた場合に、指示を受けた操作の種類に基づいて、前記転送手段による転送中の画像、或いは前記転送指示手段により指示を受けている画像に対する該操作を禁止する制御手段とを備えることを特徴とする画像処理装置。
【請求項２】
前記制御手段により禁止される操作は、画像の消去、動画像の再生、画像のプロテクトの少なくとも１つを含むことを特徴とする請求項１に記載の画像処理装置。
【請求項３】
前記制御手段により禁止されない操作は、画像のコマ送り、画像の拡大、縮小、マルチ再生、情報表示の切り替えの少なくとも１つを含むことを特徴とする請求項１に記載の画像処理装置。
【請求項４】
前記制御手段により操作が禁止された場合に、該操作が禁止された旨の表示を行う表示手段を備えることを特徴とする請求項１に記載の画像処理装置。
【請求項５】
前記表示手段は、該操作が禁止された旨の表示を行った場合に、禁止された操作と別の操作を促す表示を行うことを特徴とし、
前記制御手段は、該別の操作を禁止しないことを特徴とする請求項１に記載の画像処理装置。
【請求項６】
前記別の操作は、前記転送手段による画像の転送を中止する操作或いは前記転送指示手段による指示を取り消す操作であることを特徴とする請求項５に記載の画像処理装置。
【請求項７】
画像データを外部機器に転送する転送ステップと、
前記転送ステップにより転送する画像を指示する転送指示ステップと、
画像データに対して操作を施す操作ステップと、
前記転送ステップによる転送中に前記操作ステップによる操作を施すよう指示を受けた場合に、指示を受けた操作の種類に基づいて、前記転送ステップによる転送中の画像、或いは前記転送指示ステップにより指示を受けている画像に対する該操作を禁止する制御ステップとを備えることを特徴とする画像処理方法。
【請求項８】
画像データを外部機器に転送する転送モジュールと、
前記転送モジュールにより転送する画像を指示する転送指示モジュールと、
画像データに対して操作を施す操作モジュールと、
前記転送モジュールによる転送中に前記操作モジュールによる操作を施すよう指示を受けた場合に、指示を受けた操作の種類に基づいて、前記転送モジュールによる転送中の画像、或いは前記転送指示モジュールにより指示を受けている画像に対する該操作を禁止する制御モジュールとをコンピュータに実行させることを特徴とする画像処理プログラム。
【発明の詳細な説明】
【技術分野】
【０００１】
本発明は、画像処理装置及び方法、並びにプログラムに関し、特に、静止画像や動画像の記録、再生及び転送等を行う画像処理装置及び方法、並びにプログラムに関する。
【背景技術】
【０００２】
従来、固体メモリ素子を有するメモリカードを記憶媒体として、静止画像や動画像の記録及び再生等を行う電子カメラ等の画像処理装置は既に市販されている。
【０００３】
また、パソコンやプリンタ等にＵＳＢ（Universal Serial Bus）で接続することにより、記憶媒体に記録されている画像をパソコンやプリンタ等に転送するデジタルカメラ等も市販されている（例えば、非特許文献１参照）。また、転送前に予め、記録されている画像をプリンタ等へ転送を行う旨の予約をすることもできる。
【０００４】
このような画像処理装置は、画像の転送中にはユーザからの操作を受け付けないように制御を行う。これは、転送中の画像が操作されることによる不具合を防止するためである。
【非特許文献１】「キヤノンデジタルカメラ  ＩＸＹ  ＤＩＧＩＴＡＬ６００  カメラユーザガイド」、キヤノン株式会社、Ｐ１２８〜Ｐ１４７
【発明の開示】
【発明が解決しようとする課題】
【０００５】
しかしながら、上記従来技術では、パソコンやプリンタ等に画像を転送しているときに、すべての画像に対する操作が受け付けられない。そうすると転送に関係のない画像、すなわち転送の予約がされていない画像等に対しても、画像の削除等の操作が行えないという問題がある。
【０００６】
また、画像の転送中にユーザによって削除ボタン等を押下する等の禁止された操作を行ったときに警告表示が表示されず、ユーザが、禁止された操作を行ったことを認識できないという問題がある。
【０００７】
本発明の目的は、転送又は転送の予約がされていない画像に対しての操作を禁止するのを防止することができると共に、ユーザが、禁止された操作を行ったことを認識することができる画像処理装置及び方法、並びにプログラムを提供することにある。
【課題を解決するための手段】
【０００８】
課題を解決するため、本発明は、画像データを外部機器に転送する転送手段と、前記転送手段により転送する画像を指示する転送指示手段と、画像データに対して操作を施す操作手段と、前記転送手段による転送中に前記操作手段による操作を施すよう指示を受けた場合に、指示を受けた操作の種類に基づいて、前記転送手段による転送中の画像、或いは前記転送指示手段により指示を受けている画像に対する該操作を禁止する制御手段とを備えることを特徴とする。
【発明の効果】
【０００９】
本発明は、転送中の画像或いは転送予約がされている画像に対して一定の操作を受け付けない構成にした。このため、転送予約がされていない画像については転送処理中であっても一定の操作が可能となる。
【発明を実施するための最良の形態】
【００１０】
以下、本発明の実施の形態を、図面を参照しながら詳述する。
【００１１】
図１は、本発明の実施の形態に係る画像処理装置の構成を概略的に示すブロック図である。
【００１２】
図１において、後述する図４の再生処理を実行する画像処理装置１００には、コネクタ８２，８４を介して電源部８６が接続され、コネクタ９２，２０６を介して記憶媒体２００が装着される。
【００１３】
画像処理装置１００は、保護部１０２と、撮影レンズ１０と、絞り機能を備えたシャッタ１２と、光学像を電気信号に変換する撮像素子１４とを被写体側から順に備え、さらに、光学ファインダ１０４と、コネクタ１１２と、アンテナ１１６とを備える。
【００１４】
また、画像処理装置１００は、撮像素子１４に接続されたＡ／Ｄ変換器１６、撮像素子１４とＡ／Ｄ変換器１６に接続されたタイミング発生回路１８を備える。加えて、Ａ／Ｄ変換器１６に接続された画像処理回路２０、画像表示メモリ２４、タイミング発生回路１８に接続されたＤ／Ａ変換器２６を備える。また、これらに夫々接続されたメモリ制御回路２２を備え、さらに、Ｄ／Ａ変換器２６に接続されたＴＦＴ、ＬＣＤ等から成る画像表示部２８を備える。
【００１５】
画像処理装置１００は、さらに、シャッタ１２に接続された露光制御部４０と、撮影レンズに夫々接続された測距制御部４２とズーム制御部４４と、保護部１０２に接続されたバリア制御部４６とを備える。加えて、フラッシュ４８と、コネクタ８２に接続された電源制御部８０と、これらに夫々接続されたシステム制御回路５０とを備える。
【００１６】
画像処理装置１００は、また、メモリ５２と、表示部５４と、不揮発性メモリ５６とを備え、これらは夫々システム制御回路５０と接続されている。
【００１７】
画像処理装置１００は、また、電源ＯＮ／ＯＦＦスイッチ６０と、モードダイアルスイッチ６１と、シャッタスイッチ６２，６４と、画像表示ＯＮ／ＯＦＦスイッチ６６と、クイックレビューＯＮ／ＯＦＦスイッチ６８とを備える。加えて、操作部７０と、記憶媒体着脱検知部９８とを備え、これらも夫々システム制御回路５０と接続されている。
【００１８】
画像処理装置１００は、さらに、メモリ３０と、圧縮伸張回路３２と、コネクタ１１２に接続された通信部１１０と、アンテナ１１６に接続された通信部１１４と、コネクタ９２に接続されたＩ／Ｆ９０とを備える。これらは、メモリ制御回路２２とシステム制御回路５０とに夫々接続されている。
【００１９】
記録媒体２００は、半導体メモリや磁気ディスク等から構成された記録部２０２と、記録部２０２に接続された画像処理装置１００とのインタフェースとなるＩ／Ｆ２０４と、Ｉ／Ｆ２０４に接続された画像処理装置１００と接続を行うコネクタ２０６とを備える。
【００２０】
Ａ／Ｄ変換器１６は、撮像素子１４のアナログ信号出力をデジタル信号に変換する。
【００２１】
タイミング発生回路１８は、撮像素子１４、Ａ／Ｄ変換器１６及びＤ／Ａ変換器２６にクロック信号や制御信号を供給し、メモリ制御回路２２及びシステム制御回路５０によって制御される。
【００２２】
画像処理回路２０は、Ａ／Ｄ変換器１６から入力されるデータ又はメモリ制御回路２２から入力されるデータに対して所定の画素補間処理や色変換処理を行う。
【００２３】
また、画像処理回路２０において、撮像した画像データ（電子データ）を用いて所定の演算処理を行い、得られた演算結果に基づいてシステム制御回路５０が露光制御部４０及び測距制御部４２に対して制御を行う。この制御によってＴＴＬ（スルー・ザ・レンズ）方式のＡＦ（オートフォーカス）処理、ＡＥ（自動露出）処理及びＥＦ（フラッシュプリ発光）処理を行う。
【００２４】
さらに、画像処理回路２０においては、撮像した画像データを用いて所定の演算処理を行い、得られた演算結果に基づいてＴＴＬ方式のＡＷＢ（オートホワイトバランス）処理も行う。
【００２５】
メモリ制御回路２２は、Ａ／Ｄ変換器１６、タイミング発生回路１８、画像処理回路２０、画像表示メモリ２４、Ｄ／Ａ変換器２６、メモリ３０及び圧縮伸張回路３２を制御する。
【００２６】
Ａ／Ｄ変換器１６から出力された画像データは、画像処理回路２０及びメモリ制御回路２２を介して、又は直接メモリ制御回路２２を介して、画像表示メモリ２４又はメモリ３０に書き込まれる。画像表示メモリ２４に書き込まれた表示用の画像データはＤ／Ａ変換器２６を介して画像表示部２８によって表示される。画像表示部２８を用いて撮像した画像データを逐次表示すれば、電子ファインダ機能を実現することができる。
【００２７】
画像表示部２８は、また、システム制御回路５０の指示により任意に表示をＯＮ／ＯＦＦすることができ、表示をＯＦＦにした場合には画像処理装置１００の電力消費を大幅に低減することができる。
【００２８】
メモリ３０は、撮影した静止画像や動画像を格納し、所定枚数の静止画像や所定時間の動画像を格納するのに十分な記憶量を備える。これにより、複数枚の静止画像を連続して撮影する連写撮影やパノラマ撮影の場合においても、高速且つ大量の画像の書き込みを行うことができる。メモリ３０は、また、システム制御回路５０の作業領域としても使用される。
【００２９】
圧縮伸張回路３２は、適応離散コサイン変換（ＡＤＣＴ）等により画像データを圧縮伸張する。本実施の形態では、メモリ３０に格納された画像を読み込んで圧縮処理又は伸張処理を行い、処理を行ったデータをメモリ３０に書き込む。
【００３０】
露光制御部４０は、シャッタ１２を制御すると共に、フラッシュ４８と連携することによりフラッシュ調光機能も有する。
【００３１】
測距制御部４２は、撮影レンズ１０の焦点調整を制御し、ズーム制御部４４は、撮影レンズ１０のズーム調整を制御し、バリア制御部４６は、バリアである保護部１０２の動作を制御し、フラッシュ４８は、ＡＦ補助光の投光機能及びフラッシュ調光機能を有する。
【００３２】
システム制御回路５０は、画像処理装置１００の全体を制御する。
【００３３】
メモリ５２は、システム制御回路５０の動作用の定数、変数及びプログラム等を記憶する。
【００３４】
表示部５４は、システム制御回路５０でのプログラムの実行に応じて、文字、画像及び音声等を用いて動作状態やメッセージ等を表示する液晶表示装置、スピーカー等である。画像処理装置１００の操作領域近辺の視認し易い位置に単数又は複数個所設置され、例えばＬＣＤ、ＬＥＤ及び発音素子等の組み合わせにより構成されている。表示部５４は、その一部の機能が光学ファインダ１０４内に設置されている。
【００３５】
表示部５４のＬＣＤ等に表示する内容には、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示及び赤目緩和表示がある。さらに、マクロ撮影表示、ブザー設定表示、時計用電池残量表示、電池残量表示、エラー表示、複数桁の数字による情報表示、記録媒体２００の着脱状態表示、通信Ｉ／Ｆ動作表示及び日付け・時刻表示等がある。
【００３６】
表示部５４の光学ファインダ１０４内に表示する内容としては、合焦表示、手振れ警告表示、フラッシュ充電表示、シャッタスピード表示、絞り値表示及び露出補正表示等がある。
【００３７】
不揮発性メモリ５６は、電気的に消去又は記録可能であり、例えば、ＥＥＰＲＯＭ等が用いられる。
【００３８】
また、電源ＯＮ／ＯＦＦスイッチ６０、モードダイアルスイッチ６１、シャッタスイッチ６２，６４、画像表示ＯＮ／ＯＦＦスイッチ６６、クイックレビューＯＮ／ＯＦＦスイッチ６８及び操作部７０を備える。これらは、システム制御回路５０の各種の動作指示を入力するための操作部であり、スイッチ、ダイアル、タッチパネル、視線検知によるポインティング及び音声認識装置等の単数又は複数の組み合わせで構成される。
【００３９】
電源ＯＮ／ＯＦＦスイッチ６０は画像処理装置１００の起動又は終了を行う。
【００４０】
モードダイアルスイッチ６１は、撮影モード及び再生モード等の各機能モード設定を切り替えることができる。
【００４１】
シャッタスイッチ６２は、シャッタボタン（不図示）の操作途中でＯＮとなり、ＡＦ処理、ＡＥ処理、ＡＷＢ処理及びＥＦ処理等の処理動作開始を指示する。
【００４２】
シャッタスイッチ６４は、シャッタボタン（不図示）の操作完了でＯＮとなる。ＯＮになるとまず、撮像素子１４から読み出した信号をＡ／Ｄ変換器１６及びメモリ制御回路２２を介してメモリ３０に画像データを書き込む露光処理を行う。次に、画像処理回路２０やメモリ制御回路２２での演算を用いた現像処理を行う。さらに、メモリ３０から画像データを読み出して圧縮伸張回路３２で圧縮を行い、記録媒体２００に画像データを書き込む記録処理を行う。シャッタボタンの操作完了はこれら一連の処理動作開始を指示する。
【００４３】
画像表示ＯＮ／ＯＦＦスイッチ６６は、画像表示部２８のＯＮ／ＯＦＦを設定することができる。これにより、光学ファインダ１０４を用いて撮影を行う際に、ＴＦＴ及びＬＣＤ等から成る画像表示部２８への電流供給を遮断することができ、省電力を図ることができる。
【００４４】
クイックレビューＯＮ／ＯＦＦスイッチ６８は、撮影直後に撮影した画像データを自動再生するクイックレビュー機能を設定する。なお、本実施の形態では、特に、画像表示部２８をＯＦＦとした場合におけるクイックレビュー機能を設定をする。
【００４５】
操作部７０は各種ボタンやタッチパネル等からなる。具体的には、メニューボタン、セットボタン、マクロボタン、マルチ画面再生改ページボタン、フラッシュ設定ボタン、単写／連写／セルフタイマ切り替えボタンを備える。また、メニュー移動＋（プラス）ボタン、メニュー移動−（マイナス）ボタン、再生画像移動＋ボタン、再生画像−ボタン、撮影画質選択ボタン、露出補正ボタン及び日付／時間設定ボタン等がある。
【００４６】
電源制御部８０は、電池検出回路、ＤＣ−ＤＣコンバータ及び通電するブロックを切り替えるスイッチ回路等により構成されており、電池の装着の有無、電池の種類及び電池残量の検出を行う。その検出結果及びシステム制御回路５０の指示に基づいてＤＣ−ＤＣコンバータを制御し、必要な電圧を必要な期間、記録媒体２００を含む各部へ供給する。
【００４７】
電源部８６は、アルカリ電池及びリチウム電池等の一次電池、並びにＮｉＣｄ電池、ＮｉＭＨ電池及びＬｉ電池等の二次電池、並びにＡＣアダプタ等からなる。
【００４８】
Ｉ／Ｆ９０，２０４は、メモリカードやハードディスク等の記録媒体２００とのインタフェースである。
【００４９】
記録媒体着脱検知部９８は、コネクタ９２又はコネクタ２０６に記録媒体２００が装着されているか否かを検知する。
【００５０】
なお、本実施の形態では、記録媒体を取り付けるインタフェース及びコネクタを２系統持つものとする。もちろん、記録媒体を取り付けるインターフェース及びコネクタは、単数又は複数、いずれの系統数を備える構成としてもよい。また、異なる規格のインタフェース及びコネクタを組み合わせて備える構成としてもよい。さらに、インタフェース及びコネクタとして、ＰＣＭＣＩＡカードやＣＦ（コンパクトフラッシュ(登録商標)）カード等の規格に準拠したものを用いて構成してもよい。これらを、インタフェース９０，２０４、コネクタ９２，２０６を用いて構成した場合、各種通信カードを接続することにより、他のコンピュータやプリンタ等の周辺機器との間で画像データや画像データに付属した管理情報を転送し合うことができる。各種通信カードには、ＬＡＮカード、モデムカード、ＵＳＢカード、ＩＥＥＥ１３９４カード、Ｐ１２８４カード、ＳＣＳＩカード及びＰＨＳ等の通信カード等がある。
【００５１】
保護部１０２は、画像処理装置１００の撮影レンズ１０を含む撮像部を覆うことによって、撮像部の汚れや破損を防止する。
【００５２】
光学ファインダ１０４は、画像表示部２８による電子ファインダ機能を使用することなく撮影を行うことができる。また、光学ファインダ１０４内には、表示部５４の一部の機能、例えば、合焦表示、手振れ警告表示、フラッシュ充電表示、シャッタスピード表示、絞り値表示及び露出補正表示等が設置されている。
【００５３】
通信部１１０は有線通信部であり、ＲＳ２３２ＣやＵＳＢ、ＩＥＥＥ（Institute of Electrical and Electronics Engineers）１３９４、Ｐ１２８４、ＳＣＳＩ、モデム及びＬＡＮ等の各種有線通信機能を有する。
【００５４】
コネクタ１１２は、通信部１１０により画像処理装置１００を他の機器と接続する。
【００５５】
通信部１１４は無線通信部であり、Ｂｌｕｅｔｏｏｔｈ、ＩＥＥＥ８０２．ａ／ｂ／ｇ及びＩＥＥＥ８０３．ａ等の各種無線通信機能を有する。
【００５６】
アンテナ１１６は、通信部１１４により画像処理装置１００を他の機器と接続する。
【００５７】
図２は、図１の画像処理装置１００の背面図である。
【００５８】
図２において、画像処理装置１００は、その中央に画像表示部２８を備え、その頂上に電源ＯＮ／ＯＦＦスイッチボタン６０と、シャッタスイッチ６３とを備える。
【００５９】
画像処理装置１００は、また、画像表示部２８の下方に、メニューボタン３０１と、セットボタン３０２と、情報表示ＯＮ／ＯＦＦボタン３０３と、消去ボタン３０４と、イージーダイレクトボタン３０５とを一列に備える。
【００６０】
画像処理装置１００は、また、画像表示部２８の右方に、縮小ボタン３０７と、拡大ボタン３０８とを備え、さらに、左ボタン３０９と、右ボタン３１０と、上ボタン３１１と、下ボタン３１２とを備える。
【００６１】
画像処理装置１００は、また、画像表示部２８の上方に、光学ファインダ１０４と、モードダイアルスイッチ６１とを備える。
【００６２】
ユーザは、メニューボタン３０１で、画像表示部２８にメニューの表示又は非表示を行うことができる。図９に本実施例におけるメニュー画面を示す。ユーザはこのメニュー画面から、実行したい処理を上ボタン３１１、下ボタン３１２を用いて選択し、セットボタン３０２で、メニューで選択された項目の決定を行うことができる。この操作により、ユーザは記憶媒体２００に記録された画像を１コマ単位で自動的に画像表示部２８に順次表示させるスライドショーや、画像の削除を禁止するプロテクトを行うことができる。
【００６３】
ユーザは、また、情報表示ＯＮ／ＯＦＦボタン３０３で、再生画像の情報表示のＯＮ／ＯＦＦを切り替えることができる。この情報表示の表示内容としては、ファイル番号、画像番号及び撮影日時等がある。また、撮影時には、画像表示部２８の表示をＯＮ／ＯＦＦすることができる。
【００６４】
ユーザは、また、消去ボタン３０４で、再生画像の消去を行うことができる。
【００６５】
ユーザは、さらに、イージーダイレクトボタン３０５で、パソコンやプリンタ等の他の装置に、記録媒体２００に記録された画像や音声データを転送することができる。図３を用いて詳細に説明する。画像処理装置１００をパソコン４０１やプリンタ４０２等の他の装置に無線等で接続して、画像表示部２８に記録媒体２００に記録された画像を表示する。そして、イージーダイレクトボタン３０５を押下することによって、通信部１１４及びアンテナ１１６を通じて画像表示部２８に表示中の画像をパソコン４０１やプリンタ４０２等に転送することができる。その際、画像処理装置１００は、バックグラウンド転送を行う。このバックグラウンド転送を行うことによって、画像転送中においても、いくつかのボタン操作を受け付けることができる。例えば、画像転送中に情報表示ＯＮ／ＯＦＦボタン３０３が押下されたときは、表示している画像の情報表示のＯＮ／ＯＦＦを切り替えることができる。
【００６６】
ユーザは、また、縮小ボタン３０７で、再生表示している画像が拡大表示されているときは、縮小表示を行うことができる。また、撮影時には、ズームレンズを広角側に移動することができ、拡大ボタン３０８で、再生表示している画像を拡大表示することができると共に、撮影時には、ズームレンズを望遠側に移動することができる。
【００６７】
ユーザは、また、左ボタン３０９、右ボタン３１０、上ボタン３１１及び下ボタン３１２で、メニュー表示時等の選択項目を変更することができ、さらに、左ボタン３０９及び右ボタン３１０で、再生画像のコマ送り操作を行うことができる。
【００６８】
図４は、図１における画像処理装置１００によって実行される再生処理の手順を示すフローチャートである。
【００６９】
本処理は、画像処理装置１００におけるシステム制御回路５０によって実行される。以下同様に、図５〜図７に示す処理もシステム制御回路５０によって行われる。
【００７０】
図４において、まず、フラグや制御変数の初期化を行う初期設定を行い（ステップＳ１０１）、記録媒体２００に記録された画像のうち、最後に撮影された画像を画像表示部２８に表示する（ステップＳ１０２）。
【００７１】
次いで、ユーザによりボタン等が押下される等の操作指示を受けると、（ステップＳ１０３でＹＥＳ）、システム制御回路５０は、その操作が再生処理を抜ける操作であるか否かを判別する（ステップＳ１０４）。判別の結果、再生処理を抜ける操作でないときは、後述する図５の操作に応じた処理を実行して（ステップＳ１０５）、ステップＳ１０３の処理に戻る。
【００７２】
ステップＳ１０４の判別の結果、再生処理を抜ける操作であるときは、本処理を終了する。
【００７３】
ステップＳ１０４において、再生処理を抜ける操作としては、電源ＯＮ／ＯＦＦスイッチ６０が押下されて電源をＯＦＦされる場合や、モードダイアルスイッチ６１が再生モードから撮影モードに変えられた場合等がある。
【００７４】
図５は、図４のステップＳ１０５の操作に応じた処理の手順を示すフローチャートである。
【００７５】
図５において、システム制御回路５０は、まず、操作の種類を判別する（ステップＳ２０１）。判別の結果、操作がイージーダイレクトボタン３０５の押下であるときは、画像表示部２８に表示されている画像に対してパソコンやプリンタ等の他の装置に転送するための転送の予約を行い（ステップＳ２０２）、本処理を終了する。
【００７６】
ステップＳ２０２において、転送の予約を行った際に、転送中の画像がなく、すぐに画像の転送が可能な状態であるときは、即座にバックグラウンド転送を開始する。一方、既に転送中の画像があるときは、画像に転送の予約を行い、転送中の画像と既に転送の予約がされた画像との転送が終了した後に画像を転送する。転送の予約がされた画像のファイル情報は、メモリ５２に記憶される。
【００７７】
ステップＳ２０１の判別の結果、操作が左ボタン３０９又は右ボタン３１０の押下であるときは、画像表示部２８に表示されている画像を一枚ずつ前後に送るコマ送り処理を実行して（ステップＳ２０３）、本処理を終了する。
【００７８】
ステップＳ２０１の判別の結果、情報表示ＯＮ／ＯＦＦボタン３０３の押下による操作であるときは、画像表示部２８に表示されている画像の情報表示のＯＮ／ＯＦＦを切り替え（ステップＳ２０４）、本処理を終了する。
【００７９】
ステップＳ２０４における情報表示の表示内容としては、画像サイズ、圧縮率、撮影日時、ヒストグラム、露出及びホワイトバランス等がある。
【００８０】
ステップＳ２０４において、画像表示部２８に表示されている画像の情報表示が行われている状態で、情報表示ＯＮ／ＯＦＦボタン３０３が押下されたときは情報表示を非表示にする。一方、情報表示が行われていない状態で、情報表示ＯＮ／ＯＦＦボタン３０３が押下されたときは情報表示を行う。
【００８１】
ステップＳ２０１の判別の結果、縮小ボタン３０７又は拡大ボタン３０８の押下による操作であるときは、システム制御回路５０は、画像表示部２８に表示されている画像の拡大／縮小処理及びマルチ／通常表示の切り替え処理を実行する（ステップＳ２０５）。
【００８２】
ステップＳ２０５におけるマルチ表示は、画像表示部２８に縮小した画像を複数枚表示する処理であり、例えば、縦３枚×横３枚＝合計９枚の画像を表示する。
【００８３】
ステップＳ２０１の判別の結果、消去ボタン３０４の押下による操作であるときは、システム制御回路５０は、画像表示部２８に表示されている画像に後述する図６の消去処理を実行して（ステップＳ２０６）、本処理を終了する。
【００８４】
ステップＳ２０１の判別の結果、メニューボタン３０１の押下による操作であるときは、システム制御回路５０は、後述する図７のメニュー処理を実行して（ステップＳ２０７）、本処理を終了する。
【００８５】
図６は、図５のステップＳ２０６の消去処理の手順を示すフローチャートである。
【００８６】
図６において、システム制御回路５０は、まず、画像表示部２８に表示されている画像が、転送中又は転送予約画像であるか否かを判別し（ステップＳ３０１）する。判別の結果、転送中又は転送予約画像でないときは、画像表示部２８に表示されている画像を記憶媒体２００から消去する消去処理を実行して（ステップＳ３０２）、本処理を終了する。
【００８７】
ステップＳ３０１の判別の結果、転送中又は転送予約画像であるときは、消去処理を行わず、「ｂｕｓｙ」表示を行う（ステップＳ３０３）（図８）。すなわち、システム制御回路５０は、消去ボタン３０４を押しても消去処理を禁止する制御を行う。
【００８８】
次に、ユーザによるボタン等が押下された等の操作があるか否かを判別し（ステップＳ３０４）、操作があるときは、「ｂｕｓｙ」表示を消去して（ステップＳ３０６）、本処理を終了する。
【００８９】
ステップＳ３０４の判別の結果、操作がないときは、「ｂｕｓｙ」表示を表示してから２秒以上経過したか否かを判別して（ステップＳ３０５）、２秒以上経過したときは、ステップＳ３０６の処理を実行して、本処理を終了する。
【００９０】
ステップＳ３０５の判別の結果、２秒以上経過していないときは、ステップＳ３０４の処理に戻る。
【００９１】
以上説明したように、ステップＳ３０３において、「ｂｕｓｙ」表示を表示することによって、ユーザに画像の削除が不可能なことを通知できる。
【００９２】
図６の消去処理によれば、画像表示部２８に表示されている画像が、転送中又は転送予約画像でないときは（ステップＳ３０１でＮＯ）、消去処理を実行する（ステップＳ３０２）。転送中又は転送予約画像であるときは（ステップＳ３０１でＹＥＳ）、消去処理を行わず、「ｂｕｓｙ」表示を行う（ステップＳ３０３）。以上のような処理を行うことで、転送又は転送の予約がされていない画像に対しての操作を禁止するのを防止することができると共に、ユーザが、禁止された操作を行ったことを認識することができる。
【００９３】
図７は、図５のステップＳ２０７のメニュー処理の手順を示すフローチャートである。
【００９４】
図７において、システム制御回路５０は、まず、転送中の画像があるか否かを判別する（ステップＳ４０１）。転送中の画像がないときは、通常のメニュー表示を行い（ステップＳ４０２）（図９）、本処理を終了する。
【００９５】
ステップＳ４０１の判別の結果、転送中の画像があるときは、システム制御回路５０は、図９に示すメニューを表示せず、後述する図１０の転送キャンセル画面を表示する（ステップＳ４０３）。
【００９６】
キャンセル画面を表示したら、ユーザによる転送キャンセルの指示があるか否かを判別し（ステップＳ４０４）、転送キャンセルの指示がないときは、本処理を終了する。
【００９７】
ステップＳ４０４の判別の結果、転送キャンセルの指示があるときは、すべての画像に対して転送予約のキャンセルを行い（ステップＳ４０５）、本処理を終了する。
【００９８】
図１０は、図７のステップＳ４０３において画像表示部２８に表示される「転送キャンセル画面」であり、現在の転送状態を表すインジケータ５０１が表示される。ここでは、１０枚の画像が転送予約され、５枚の画像が転送済みであることを表示している。続行ボタン５０２が選択状態にあるときに、セットボタン３０２が押下されると、転送を中止することなく、「転送キャンセル画面」を非表示にする。また、中止ボタン５０３が選択状態にあるときに、セットボタン３０２が押下されると、転送予約をすべて取り消して、「転送キャンセル画面」を非表示にする。
【００９９】
また、本実施例では転送中の画像がある場合に「転送キャンセル画面」が表示される構成としたが、転送中の画像がある場合のみならず、転送予約画像がある場合に「転送キャンセル画面」が表示される構成としてもよい。この場合には、ステップＳ４０１は、転送中あるいは転送予約されている画像があるか否かを判断する。
【０１００】
本実施の形態によれば、転送又は転送の予約がされていない画像に対しての操作を禁止するのを防止することができる。
【０１０１】
本実施の形態では、転送中の画像に対して禁止する操作を画像の消去としたが、画像のプロテクト、画像の編集、画像の検索及び動画像の再生を、転送中の画像等に対して禁止する操作としてもよい。
【０１０２】
また、本実施例では、メニュー処理を行う際に「転送キャンセル画面」が表示される構成としたが、前述したような他の操作の転送中に禁止される操作を行う際に、「転送キャンセル画面」が表示される構成としてもよい。
【０１０３】
本実施の形態では、禁止されている操作が行われた際にメッセージを表示し、ユーザへ通知を行うことができる。また、メッセージ表示中にも、他の操作が行われた際には、操作を受け付けることができる。例えば、メッセージ表示中に、画像の転送を中止することができる。
【０１０４】
また、本発明の目的は、前述した各実施の形態の機能を実現するソフトウェアのプログラムコードを記憶した記憶媒体を、システム或いは装置に供給することでも達成される。この場合には、そのシステム或いは装置のコンピュータ（またはＣＰＵやＭＰＵ等）が記憶媒体に格納されたプログラムコードを読み出し実行することによっても本発明の目的が達成される。
【０１０５】
この場合、記憶媒体から読み出されたプログラムコード自体が前述した各実施の形態の機能を実現することになり、そのプログラムコード及び該プログラムコードを記憶した記憶媒体は本発明を構成することになる。
【０１０６】
また、プログラムコードを供給するための記憶媒体としては、以下のようなものがあげられる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスクがある。さらには、磁気テープ、不揮発性のメモリカード、ＲＯＭ等を用いることができる。または、プログラムコードをネットワークを介してダウンロードしてもよい。
【０１０７】
また、本発明は、コンピュータが読み出したプログラムコードを実行することにより、前述した各実施の形態の機能が実現される場合に限られない。そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１０８】
さらに、以下の処理によって前述した各実施の形態の機能が実現される場合も含まれる。記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その拡張機能を拡張ボードや拡張ユニットに備わるＣＰＵ等が実際の処理の一部または全部を行う。このような場合も、本発明に含まれる。
【図面の簡単な説明】
【０１０９】
【図１】本発明の実施の形態に係る画像処理装置の構成を概略的に示すブロック図である。
【図２】図１の画像処理装置の背面図である。
【図３】図１の画像処理装置によって実行される無線通信を概略的に示す図である。
【図４】図１における画像処理装置によって実行される再生処理の手順を示すフローチャートである。
【図５】図４のステップＳ１０５の操作に応じた処理の手順を示すフローチャートである。
【図６】図５のステップＳ２０６の消去処理の手順を示すフローチャートである。
【図７】図５のステップＳ２０７のメニュー処理の手順を示すフローチャートである。
【図８】図６のステップＳ３０３において画像表示部２８に表示される「ｂｕｓｙ」表示の説明をするのに用いられる図である。
【図９】図７のステップＳ４０２において画像表示部２８に表示される「通常メニュー画面」の説明をするのに用いられる図である。
【図１０】図７のステップＳ４０３において画像表示部２８に表示される「転送キャンセル画面」の説明をするのに用いられる図である。
【符号の説明】
【０１１０】
２８  画像表示部
５０  システム制御回路
１００  画像処理装置
３０１  メニューボタン
３０４  消去ボタン
３０５  イージーダイレクトボタン
【図１】
2007081753.tif 000003
【図２】
2007081753.tif 000004
【図３】
2007081753.tif 000005
【図４】
2007081753.tif 000006
【図５】
2007081753.tif 000007
【図６】
2007081753.tif 000008
【図７】
2007081753.tif 000009
【図８】
2007081753.tif 000010
【図９】
2007081753.tif 000011
【図１０】
2007081753.tif 000012